(57)【要約】      （修正有）【課題】繊維製布地からなる広告媒体の撥水性を確保しつつ、印刷された表示部を鮮明な状態とする広告媒体を提供する。【解決手段】繊維製布地６の両面を撥水加工層７で被覆し、一方の撥水加工層の表面に、広告宣伝用の文字や図柄等からなる表示部８を印刷して設ける。【選択図】図２
0003213409.tif 000002
【実用新案登録請求の範囲】
【請求項１】
繊維製布地の少なくとも片方の面に、撥水加工層が被覆され、上記撥水加工層の表面に、広告宣伝用の表示部が印刷されてなることを特徴とする広告媒体。
【請求項２】
請求項１に記載の広告媒体において、
上記繊維製布地の両面に、上記撥水加工層が被覆され、少なくとも一方の上記撥水加工層の表面に、上記表示部が印刷されてなることを特徴とする広告媒体。
【請求項３】
請求項１又は２に記載の広告媒体において、
屋外で使用される旗もしくは幕であることを特徴とする広告媒体。
【考案の詳細な説明】
【技術分野】
【０００１】
本考案は、広告宣伝用の表示部が印刷された旗等の広告媒体に関するものである。
【背景技術】
【０００２】
一般的に、広告媒体として、繊維製の布地に広告宣伝用の文字や図柄等が印刷されたものが多く用いられており、使用例として例えば、幟や横断幕等が挙げられる。これらは、設置場所の制限が少ない、安いコストで手軽に製作できる、運搬や保管が容易である等の理由から、広告媒体として盛んに用いられている。具体的には、例えば特許文献１に示すように、綿や絹などの織物を用いて矩形状に形成された布片と、この布片の長辺及び短辺を固定する旗竿によって構成された幟が知られている。
【０００３】
ところで、このような広告媒体は、広告宣伝効果を高めるために、人目に触れやすい所定箇所に設置されるのが一般的であるところ、それが例えば屋外であった場合には、雨水等に晒される可能性がある。そうすると、耐久性に劣るといった問題が生じる。そこで、布地に水分が浸み込む事を防止するために、例えば特許文献２では、繊維製布生地に撥水加工を施された旗（広告媒体）が提案されている。具体的には、繊維製布生地の一方の面に広告宣伝等のデザイン（表示部）が印刷され、その後、撥水剤を固着させる撥水加工が施されている。
【先行技術文献】
【特許文献】
【０００４】
【特許文献１】実用新案登録第３２００８０５号公報
【特許文献２】特開２００８−２２３１７６号公報
【考案の概要】
【考案が解決しようとする課題】
【０００５】
特許文献１のものでは、雨水等で濡れた場合に、重くなったり、湿気によるカビ等を発生させたりするおそれがあり、耐久性に劣る。また、水分を含むことで埃や塵等が付着しやすくなり、広告宣伝の機能を果たすべき印刷部分の表示事項が不鮮明となるおそれがある。
【０００６】
また、特許文献２のものでは、繊維製布生地に広告宣伝等のデザイン（表示部）が印刷されてから、その後、撥水剤を固着させるところ、デザインが印刷されている部分と印刷されていない部分とで撥水剤の固着具合に差異が発生して、撥水効果が十分に得られない可能性がある。また、撥水剤の被覆により、デザイン印刷部分の発色や見え具合が変化したりして、広告宣伝の機能を果たすべき印刷部分の表示事項が不鮮明となるおそれがある。
【課題を解決するための手段】
【０００７】
本考案は斯かる点に鑑みてなされたものであり、その目的とするところは、広告媒体の撥水性を確保しつつ、印刷された表示部を鮮明な状態とすることにある。
【０００８】
具体的には、第１の考案では、広告媒体において、繊維製布地の少なくとも片方の面に、撥水加工層が被覆され、上記撥水加工層の表面に、広告宣伝用の表示部が印刷されてなることを特徴とする。
【０００９】
この第１の考案では、繊維製布地に撥水加工層が被覆されているので繊維製布地に水分が浸み込むのを防止でき、且つこの撥水加工層の表面に印刷してなる表示部を設けるので、表示部を鮮明な状態にすることができる。
【００１０】
第２の考案では、第１の考案において、上記繊維製布地の両面に、上記撥水加工層が被覆され、少なくとも一方の上記撥水加工層の表面に、上記表示部が印刷されてなることを特徴とする。
【００１１】
この第２の考案では、繊維製布地の両面に撥水加工層が被覆されているので、撥水性をさらに高めることができる。
【００１２】
第３の考案では、第１又は第２の考案において、屋外で使用される旗もしくは幕であることを特徴とする。
【００１３】
この第３の考案では、屋外で使用される旗もしくは幕であるため雨水等に晒される可能性が高いところ、そうした場合であっても、雨水等が浸み込む事を防止できるので耐久性に優れ、屋外における広告の維持に有用である。
【考案の効果】
【００１４】
以上説明したように、本考案によると、繊維製布地の表面が撥水加工層で被覆され、その撥水加工層の表面に広告宣伝用の表示部が印刷されているので、繊維製布地に水分が浸み込むことを防止しつつ、表示部を鮮明な状態にすることができる。
【図面の簡単な説明】
【００１５】
【図１】図１は、本考案の実施形態に係る広告媒体を幟として用いた例を示す斜視図である。
【図２】図２は、図１のＡ−Ａ線拡大断面図である。
【考案を実施するための形態】
【００１６】
以下、本考案の実施形態を図面に基づいて詳細に説明する。以下の好ましい実施形態の説明は、本質的に例示に過ぎず、本考案、その適用物或いはその用途を制限することを意図するものでは全くない。
【００１７】
本実施形態においては、図１に示すように、広告媒体を旗１として幟１０に用いた例を挙げて説明する。
【００１８】
図１に示すように、幟１０は、広告宣伝用の文字や図柄等が表された矩形状の旗１（広告媒体）と、下端が台座２によって支持される旗竿３を備えている。旗１には、一方の長辺の端縁と一方の短辺の端縁に沿って、所定の間隔毎に布製の吊下環４が複数個設けられている。これらの吊下環４はそれぞれ、旗１に縫製して取り付けられている。
【００１９】
旗竿３は、地面等に対して略垂直に設置されて下端が台座２に支持される縦竿３ａと、この縦竿３ａの上端に基端部を着脱自在に装着される横竿３ｂとからなる。幟１０は、この縦竿３ａ及び横竿３ｂを吊下環４にそれぞれ挿通することにより、旗１が保持される構造となっている。
【００２０】
図２に示すように、旗１は、繊維製布地６と、繊維製布地６の両面に被覆された撥水加工層７と、撥水加工層７の表面に印刷された表示部８とを備えている。なお、図２においては、分かりやすくするために、繊維製布地６、撥水加工層７及び表示部８を、実際の厚さに比して誇張して表している。
【００２１】
繊維製布地６は、繊維で織られた布生地であり、例えば、化学繊維や木綿等からなる織布や編布等の繊維構造体である。具体的には一般的に、例えば、ポンジ、トロピカル、トロマット等のポリエステルのような合成繊維を織って製作されたものが多用されている。
【００２２】
撥水加工層７は、例えば、繊維製布地６を、ノニオン系撥水剤又はカチオン系撥水剤よりなる加工液に浸漬し、ベーキング加工（高温乾燥の意味）することで形成される。もしくは、繊維製布地６の両面に、シリコン系樹脂、パラフィン系樹脂又はワックス系樹脂よりなる樹脂系材料を吹き付けることによって形成される。
【００２３】
表示部８は、繊維製布地６の両面に被覆された撥水加工層７のうち、一方の撥水加工層７の表面に印刷されてなる。表示部８の印刷方法としては、スクリーン印刷やインクジェット印刷、転写印刷等の手法があり、あらゆる印刷方法を用いることができる。これら周知の印刷技術を用いて、撥水加工層７の表面に所望の文字や図柄等を印刷すれば良いものであり、説明は省略する。なお、表示部８は、他方の撥水加工層７の表面に印刷しても良いし、一方と他方、両方の撥水加工層７の表面に印刷しても良い。
【００２４】
このように、本考案では、繊維製布地６の表面が撥水加工層７で被覆されているため、繊維製布地６に水分が浸み込むことを防止できる。その結果、旗１が水分を含むことによるあらゆる影響、例えば、重たくなったり、幟１０の旗竿３に巻き付いたり掲示した壁に貼り付いたり、カビが発生したり、埃や汚れを付着しやすくなったり、そのまま保管した場合に畳みジワが付きやすくなったり、といった問題を未然に防ぐことができ、見栄えや耐久性を向上させることができる。また、撥水効果により、付着した水分や汚れ等を拭き取りやすくなるので、清潔に保つことができる。
【００２５】
さらに、撥水加工層７の表面に文字や図柄といった広告宣伝用の表示部８が印刷されている。ここで、繊維製布地６の一部分に表示部８を印刷した後で撥水加工層７を被覆する従来技術では、繊維製布地６の素材と印刷された表示部８のインクとで材質が異なるため、撥水剤の固着状態に差異が生じて、全体として均一な撥水加工層７を形成することが難しく、充分な撥水効果が得られないおそれがある。また、表示部８の表面が撥水加工層７で被覆されるため、光の反射等により表示部８の発色に変化が生じたり、見え具合が不鮮明になるおそれがある。
【００２６】
そうしたところ、本考案では、繊維製布地６の表面を撥水加工層７で被覆するため、均一に被覆することができる。また、表示部８が外観上最も外側に露出しているため、撥水加工層７の影響を受けることなく、広告媒体において最も重要な部分、すなわち広告宣伝機能を果たす表示部８の発色や見え具合等を鮮明な状態とすることができる。特に、屋外に常用設置される広告媒体である場合には、雨水や埃等の外的要因に晒される環境であるため、有用である。
【００２７】
また、従来のように、繊維製布地６の表面に表示部８を印刷した後で撥水加工層７を被覆する場合であって、少量ずつ製作する場合には、各々表示部８を印刷する度に撥水加工を施すことが必要であるため、生産効率に劣りコストアップを招来する。
【００２８】
それに対して本考案では、繊維製布地６の表面に撥水加工層７を被覆した生地を予め一定量用意しておけば、必要な時にそれに各々表示部８を印刷すれば済むので生産効率に優れ、少量生産にも好適である。
【００２９】
（他の実施形態）
本実施形態では、広告媒体として、幟１０に用いる旗１を例に挙げて説明したが、これに限られるものではなく、例えば、横断幕、懸垂幕、社旗、校旗、優勝旗、国旗、会旗、団旗、労働旗、手旗、応援旗、信号旗、安全旗、安全衛生旗、船旗、敬弔旗、神社幕、門幕、山車幕、紋幕、泥幕、応援幕、水引幕、舞台幕、盆幕、見送幕、神社幟、相撲幟、武者幟、鯉幟、桃太郎幟、背幟、役者（歌舞伎）幟、タペストリー、バナーなど、繊維製布地を用いたあらゆる態様のものに適用可能である。
【００３０】
また、本実施形態では、主に屋外で使用する幟１０に用いる場合を想定して説明したが、店舗内やイベント会場内等の屋内で使用するものにも適用可能であり、テーブルクロス等に用いることも可能である。この場合、こぼれた水分等が浸み込むことを防止できるとともに、汚れを拭き取りやすくなるため、広告媒体となるテーブルクロスの耐久性を確保し、清潔に維持することができる。
【００３１】
また、本実施形態では、繊維製布地６の両面を撥水加工層７で被覆した例を示したが、これに限られるものではなく、繊維製布地６の一方の表面を撥水加工層７で被覆したものでも良い。撥水性を向上させる観点からは、繊維製布地６の両面を撥水加工層７で被覆した方が好ましいが、例えば、一方の面のみが露出する広告媒体であれば、撥水加工層７で被覆する面を一方の面のみとすることで、コストの削減に貢献する。
【００３２】
また、本実施形態では、表示部８が撥水加工層７の表面の一部に印刷されたものを挙げて説明したが、これに限られるものではなく、例えば、表示部８が撥水加工層７の表面全体を覆うように印刷されたものでも良い。
【符号の説明】
【００３３】
１      旗（広告媒体）
２      台座
３      旗竿
４      吊下環
６      繊維製布地
７      撥水加工層
８      表示部
【図１】
0003213409.tif 000003
【図２】
0003213409.tif 000004